(57)【要約】【課題】小さな力によってかつ多段階でチューブ端部を拡径／リング挿入することができるチューブ端部拡径／リング挿入装置を提供する。【解決手段】ケーシング１内を摺動可能なラック２のシャフト４の先端にチューブ端部拡径あるいはリング挿入用アタッチメント２を取付け、アタッチメントの前方にチューブ端部固定保持手段２３を設ける。ピニオン歯車１７がラック２のラック歯と噛合し、ハンドル１６の一端が前記ギアピンの周りに回転可能に保持され、ラッチピン１８の周りにラッチ１９がに取り付けられ、ハンドル１６を把持方向に回動すると、ピニオン歯車１７がラック２を前進させる。ラックをケーシング内部で後方に付勢するラック付勢手段と、ラック後方移動防止手段と、ラック後方移動防止歯とラック後方移動防止手段とラック後方移動防止手段との係合及びピニオン歯車とラッチとの係合を解除し、ラック解除手段によりラックを後方位置に移動させる。【選択図】図４
0003172639.tif 000002
【実用新案登録請求の範囲】
【請求項１】
１．長手方向に延びるケーシングと、
２．ケーシング内部に長手方向に前後一定の範囲内を摺動可能に収容され、一側面に前後に延びるラック歯を有するラックと、
３．後端部がラックの前端部に取り付けられてケーシング内部に収容され、ラックがケーシング内部を長手方向で前方に移動させられると前端部がケーシング外部に移動されるシャフトと、
４．ケーシング前方にビームを介して一体的に配置され、チューブの端部近傍を前記シャフトと同心状に保持するチューブ端部固定保持手段と、
５．ラックの側面の前記ラック歯と噛合し、ギアピンの周りに回転可能にケーシングに保持され、前方方向に回転されることによってラックをケーシング内部で長手方向前方に移動させるピニオン歯車と、
６．一端が前記ギアピンの周りに回転可能に保持された該一端から他端へと延びるハンドルと、
７．ハンドルに取り付けたラッチピンの周りに揺動可能に取り付けられ、ハンドルの把持方向に付勢されてラッチ歯をピニオン歯車に噛合させるラッチであって、ハンドルを把持方向に回動するとピニオン歯車とラックを前進させる方向に回転させるラッチと、
８．ラックをケーシング内部で後方に戻る方向に付勢するラック付勢手段と、
９．ラックの他側面に設けたラック後方移動防止歯と係合し、ラックがケーシング内部を後方に戻ることを防止するラック後方移動防止手段と、
１０．ラックのラック後方移動防止歯とラック後方移動防止手段との係合及びピニオン歯車とラッチとの係合を解除し、ラック付勢手段によってラックを後方位置に移動させるラック解除手段とを有することを特徴とする、チューブ端部拡径／リング挿入用装置。
【請求項２】
本考案に係るチューブ端末拡径／リング挿入装置は、ピニオン歯車に直結された戻しダイヤルをさらに有し、戻しダイヤルを回すことによってピニオン歯車を強制的に回転しラックを後方位置に移動させることが可能となっていることを特徴とする、請求項１に記載のチューブ端部拡径／リング挿入用装置。
【請求項３】
請求項１または請求項２に記載したチューブ端部拡径／リング挿入用装置と、シャフトの前端部に着脱自在に取り付けられるチューブ端部拡径用アタッチメント、チューブ端部リング挿入用アタッチメントとからなり、チューブ端部拡径用アタッチメント及びチューブ端部リング挿入用アタッチメントを選択的にシャフトの前端部に着脱自在に取り付けることが可能な、チューブ端部拡径／リング挿入装置。
【考案の詳細な説明】
【技術分野】
【０００１】
本考案は、薬液等を移送するのに用いる管継手で使用する耐薬品性チューブの端部に対して拡径／リング挿入するためのチューブ端部拡径／リング挿入用装置に関する。
【背景技術】
【０００２】
半導体洗浄装置内で薬液を移送する際、入出口間をポリテトラフルオロエチレン等のフッ素樹脂等からなる耐薬品性チューブ継手で接続するが、配管入口と配管出口の各端部にチューブ継手を介してチューブを接続するために、チューブ端部を拡径したり、あるいはチューブ端部にリングを挿入する必要がある。耐薬品性のチューブは上記フッ素樹脂等の硬質プラスチックで作製されているので、チューブをそのままの状態でチューブ継手に接続をすることは困難な場合が多い。
【０００３】
そこで、従来、例えば、図１２に断面図で示すチューブ端部拡径／リング挿入用装置が用いられている。本装置は、「くの字」の把持本体１０１と把持本体の筒部に摺動可能に収納され、先端にチューブ端部拡径用アタッチメントあるいはチューブ端部リング挿入用アタッチメント（図示せず）を取り付けるシャフト１０２と、支持ピン１０３の周りに回動可能とされ、上端部がシャフト部１０２の後端部に当接可能とされたレバー１０４と、把持本体の前方に一体的に取り付けたチューブ固定手段１０５とからなっている。
【０００４】
チューブ端部拡径／リング挿入用装置のチューブ固定手段１０５にチューブ端部の近傍部を固定保持し、チューブ端部拡径用、リング挿入用アタッチメントの小径部をチューブ端部開口に装着する。その状態で、片手で把持本体１０１の把持部を一方の手で持ち、レバー１０４を他方の手で持って、あるいは片手で把持部とレバー１０４とを持ち、レバー１０４を把持部方向に引き寄せることによって、テコの原理によりシャフト１０２を前方に押し出し、シャフト端部のアタッチメントによってチューブ端部を拡径／リング挿入する。
【０００５】
しかしながら、本従来技術では、テコの原理のみ用いるため、チューブ端部を拡径／リング挿入するのに比較的大きな力を必要とし、またチューブ端部の拡径／リング挿入後シャフトを後退させるのにレバー１０４を開いてチューブ端部をアタッチメントから手動で引き離していた。
【先行技術文献】
【特許文献】
【０００６】
【特許文献１】特開平１１−１７９４５３
【特許文献２】実用新案登録第３０９０７７９号
【考案の概要】
【考案が解決しようとする課題】
【０００７】
本考案は、小さな力によってチューブ端部を拡径／リング挿入することができ、また多段階でチューブの端部の拡径／リング挿入をすることができ、さらにチューブ端部の拡径／リング挿入後シャフトを後退させるのにレバーを把持部から離間する方向に手動で引き離す必要がないチューブ端部拡径／リング挿入用装置を提供することを目的とする。
【課題を解決するための手段】
【０００８】
（１）本考案に係るチューブ端部拡径／リング挿入用装置は、
１．長手方向に延びるケーシングと、
２．ケーシング内部に長手方向に前後一定の範囲内を摺動可能に収容され、一側面に前後に延びるラック歯を有するラックと、
３．後端部がラックの前端部に取り付けられてケーシング内部に収容され、ラックがケーシング内部を長手方向で前方に移動させられると前端部がケーシング外部に移動するシャフトと、
４．ケーシング前方にビームを介して一体的に配置され、チューブの端部近傍を前記シャフトと同心状に保持するチューブ端部固定保持手段と、
５．ラックの側面の前記ラック歯と噛合し、ギアピンの周りに回転可能にケーシングに保持され、前方方向に回転されることによってラックをケーシング内部で長手方向前方に移動させるピニオン歯車と、
６．一端が前記ギアピンの周りに回転可能に保持された該一端から他端へと延びるハンドルと、
７．ハンドルに取り付けたラッチピンの周りに揺動可能に取り付けられ、ハンドルの把持方向に付勢されてラッチ歯をピニオン歯車に噛合させたラッチであって、ハンドルを把持方向に回動させるとピニオン歯車をラックで前進させる方向に回転させるラッチと、
８．ラックをケーシング内部で後方に戻る方向に付勢するラック付勢手段と、
９．ラックの他側面に設けたラック後方移動防止歯と係合し、ラックがケーシング内部を後方に戻ることを防止するラック後方移動防止手段と、
１０．ラックとラック後方移動防止手段との係合及びピニオン歯車とラッチとの係合を解除し、ラック付勢手段によってラックを後方位置に移動させるラック解除手段とを有することを特徴とする。
【０００９】
（２）本考案に係るチューブ端部拡径／リング挿入用装置は、ピニオン歯車に直結された戻しダイヤルをさらに有し、戻しダイヤルを回すことによってピニオン歯車を強制的に回転しラックを後方位置に移動させることが可能となっていることを特徴とする。
（３）さらに、本考案は、上記（１）または（２）にチューブ端部拡径／リング挿入用装置と、シャフトの前端部に着脱自在に取り付けられるチューブ端部拡径用アタッチメント、チューブ端部リング挿入用アタッチメントとからなり、チューブ端部拡径用アタッチメント及びチューブ端部リング挿入用アタッチメントを選択的にシャフトの前端部に着脱自在に取り付けるチューブ端部拡径／リング挿入装置に関する。
【考案の効果】
【００１０】
本考案に係るチューブ端部拡径／リング挿入用装置は上記の通り構成されているので、チューブ端部拡径用アタッチメントあるいはチューブ端部リング挿入用アタッチメントをシャフトの前端部に取り付け、かつチューブ端部近傍をチューブ端部固定保持手段に保持した状態で、簡単なピニオン・ラック・ラッチ機構により小さな力によってチューブ端部を拡径／リング挿入することができる。また、ラック後方移動防止手段によってラックがケーシング内部を後方に戻ることを防止するので、多段階でチューブの端部の拡径／リング挿入をすることができる。さらに、ラック解除手段によって、ラックとラック後方移動防止手段との係合及びピニオン歯車とラッチとの係合を解除し、ラック付勢手段によってラックを後方位置に移動させることができるので、ラックを後方位置に移動させるのにハンドルを把持部から離間する方向に手動で引き離す必要がない。
【００１１】
さらに、ラックとラック後方移動防止手段との係合及びピニオン歯車とラッチとの係合を解除しても、ラック付勢手段によってラックを後方位置に移動させることができない場合には、ピニオン歯車の軸に直結した戻しダイヤルを回すことによってピニオン歯車を強制的に回転しラックを後方位置に移動可能とすることができる。
【図面の簡単な説明】
【００１２】
【図１】本考案の一実施態様に係るチューブ端部拡径／リング挿入用装置          の外観斜視図である。
【図２】チューブ端部拡径用アタッチメントを取り付けた本考案の一実施態様に係るチューブ端部拡径／リング挿入装置の平面図である。
【図３】チューブ端部拡径用アタッチメントを取り付けた本考案の一実施態様に係るチューブ端部拡径／リング挿入装置の正面図である。
【図４】図２のＩＶ−ＩＶ線に沿って切断した、チューブ端部拡径用アタッチメントを取り付けた本考案の一実施態様に係るチューブ端部拡径／リング挿入装置の断面図である。
【図５】ケーシング前方にビームを介して一体的に配置され、チューブの端部近傍を前記シャフトと同心状に保持するためのチューブ端部固定保持手段の平面図である。
【図６】チューブ端部拡径用アタッチメントの先端部をチューブ端部の開口部に装着した本考案の一実施態様に係るチューブ端部拡径／リング挿入装置の断面図である。
【図７】さらにチューブ端部拡径用アタッチメントの拡径部をチューブ端部の開口部に押し込んでチューブ端部を拡径した本考案の一実施態様に係るチューブ端部拡径／リング挿入装置の断面図である。
【図８】チューブ端部拡径用アタッチメントの拡径部をチューブ端部の拡径開口部から脱着させた本考案の一実施態様に係るチューブ端部拡径／リング挿入装置の断面図である。
【図９】（ａ）はチューブ端部リング挿入用アタッチメントを本考案のチューブ端部拡径／リング挿入用装置のシャフトの前端部に取り付けた状態を示す本考案に係るチューブ端部拡径／リング挿入装置の一部の断面図であり、（ｂ）はチューブ端部に挿入するリングを併せて表示した断面図であり、（ｃ）は（ａ）のチューブ端部リング挿入用アタッチメントにリングを挿入した状態を示す断面図である。
【図１０】（ａ）はチューブ端部リング挿入用アタッチメントの先端部をチューブ端部に挿入した断面図であり、（ｂ）はチューブ端部リング挿入用アタッチメントをリングがチューブ端部に挿入されるまで押し込む工程を示す断面図であり、（ｃ）はリングをチューブ端部に残してアタッチメントを脱着する工程とリング挿入チューブとを示す断面図である。
【図１１】（ａ）はチューブ拡径端部を継手に装着する工程を示し、（ｂ）はリング装着チューブを継手に装着する工程を示す。
【図１２】先行技術にかかるチューブ端部拡径／リング挿入用装置の正面図である。
【考案を実施するための形態】
【００１３】
本考案に係るチューブ端部拡径／リング挿入用装置及びチューブ端部拡径／リング挿入装置を、図１乃至図１１に基づいて詳細に説明する。本考案は図示する具体的実施態様に限定されるものではなく、本考案の精神から逸脱することなく種々の変形、変更が可能である。なお、本願中では、チューブ端部拡径／リング挿入用装置とはチューブ端部拡径用アタッチメントチューブあるいは端部リング挿入用アタッチメントを取り付けない状態のもの、チューブ端部拡径／リング挿入装置とはチューブ端部拡径用アタッチメントチューブあるいは端部リング挿入用アタッチメントを取り付けた状態のものを言う。
【実施例１】
【００１４】
図１は、本考案の一実施態様に係るチューブ端部拡径／リング挿入用装置の外観斜視図であり、図２はチューブ端部拡径用アタッチメントを取り付けた本考案の一実施態様に係るチューブ端部拡径／リング挿入装置の平面図であり、図３は図２に示す本考案の一実施態様に係るチューブ端部拡径／リング挿入装置の正面図である。図中、１はケーシング、１０は解除レバー、１６はラッチハンドル、２２はビーム、２３はチューブ端部固定保持手段、２５はチューブ端部拡径用アタッチメント、２６は円形状をした戻しダイヤルである。
【００１５】
図４は、図2のＩＶ−ＩＶ線に沿って切断した本考案の一実施態様に係るチューブ端部拡径／リング挿入装置の断面図である。図中、ケーシング１の内部中央部にはラック収容空間Ａが設けられ、ラック収容空間Ａに連続し前端部で外部に開口するシャフト収容空間Ｂが設けられている。ラック２はラック収容空間Ａに収容され、ラック２に設けた摺動溝Ｃにケーシング１に固定したラックピン３が装着されている。ラック２の先端にはピンによりシャフト４の後端部が取り付けられ、シャフト４はシャフト収容空間Ｂから外部に導出されるようになっている。
【００１６】
ケーシング内部後方部には連通孔を介してラック収容空間Ａに連通するストッパー空間Ｄが設けられ、ストッパー空間Ｄ内部には先端が連通孔を通ってラック２の後端部に連結され、後端部がストッパー６に取り付けたストッパーシャフト７が配置されている。ストッパー空間Dの内部でストッパーシャフト７の周囲でストッパー６との間に圧縮バネ８が介装され、圧縮バネ8によって常時ラック２を後方に付勢している。なお、ラック収容空間Aの後端部は縮径部とされ内部にラック後端部を収容する。
【００１７】
ラック２の上面にはラック止め歯部（ストッパー歯）９が設けられ、ラックの上方には一部が外部に連通する解除レバー用空間Ｅが設けられ、解除レバー１０は一端部が外部に位置しかつ他端部が解除レバー用空間Ｅ内部まで延び、他端にストッパー歯に噛合するストッパー歯噛合突起１１を有する。解除レバー１０は、解除レバーピン１２で揺動可能に支承され、解除レバーの他端上面は圧縮バネ１３によって常時下方に付勢され、ストッパー歯噛合突起１１はストッパー歯に常時噛合するようになっている。ストッパー歯はラックの他側面に設けたラック後方移動防止歯に該当し、ケーシング内部を後方に戻ることを防止するラック後方移動防止手段が解除レバー１０、解除レバーピン１２、圧縮バネ１３、ストッパー歯噛合突起１１で構成される機構に該当する。
【００１８】
ラック２の下面にはラック前進歯部１４が設けられ、ラック収容空間の下方部が外部に開放され、ケーシング1に固定したピニオンギアピン１５にラッチハンドル１６の一端部とピニオン歯車１７とが軸支され、ピニオン歯車１７はラック前進歯部１４と噛合している。ラッチハンドル１６にはラッチピン１８によってラッチ１９が軸支され、ラッチの後端部下面はラッチハンドル１６に固定した圧縮ラッチバネ２０によって常時上方に付勢され、ラッチ１９の後端部のラッチ歯がピニオン歯車１７と噛合するようになっている。ケーシング１とハンドル１６との間には、圧縮バネ２１が介装され、ケーシング１に対してラッチハンドル１６を常時開く方向に付勢している。また、ラッチ解除ブロック（図示せず）が設けられ、ピニオン歯車１７とラッチ１９の後端部のラッチ歯との噛合が解除されラッチハンドルが自由に動くようになる。
【００１９】
ケーシング１の前方にはビーム２２を介してチューブ端部固定保持手段２３が設置され、チューブ端部近傍を脱着自在にシャフト４と同心状に固定保持するようになっている。シャフト４の先端部には同心状に螺子付き凹部２４が設けられ、第１の実施態様ではチューブ端部拡径用アタッチメント２５が取り付けられる。チューブ端部拡径用アタッチメント２５は、アタッチメント固定螺子部２５ａと、基部２５ｂと、大径部２５ｃと、拡径部２５ｄとチューブ内径にほぼ等しい直径の小径部２５ｅとからなり、アタッチメント固定螺子部２５aが螺子付き凹部２４に螺合されるようになっている。拡径部２５ｄは大径部２５ｃから小径部２５ｅの間に延在し断面テーパー状になっている。なお、チューブ端部リング挿入用アタッチメントについては、図９において後述する。
【００２０】
図5に示すチューブ端部固定保持手段２３は、一端で開閉自在とされた上保持部材２３ａと下保持部材２３ｂと、上保持部材２３ａと下保持部材２３ｂとが閉じた状態で開閉自在に固定するホック部２３ｃと、ビーム２２に装着される装着部２３ｄとを有し、ビーム２２の先端に装着部２３ｄを装着することによってビーム２２に着脱自在に固定されるようになっている。
【００２１】
図６乃至図８に、チューブ端部拡径用アタッチメント２５を取り付けた本考案に係るチューブ端部拡径／リング挿入装置を用いてチューブ端部を拡径する工程を示す。図６に示すように、最初に、チューブＴの端部の開口にチューブ端部拡径用アタッチメント２５の小径部２５ｅを挿入した状態で、チューブ端部近傍をチューブ端部固定保持手段２３に脱着自在にシャフト４と同心状に固定保持する。図６の右上の図は、端部を拡径するチューブＴを示す。
【００２２】
次に、手でケーシング１の後方部とハンドルを握ってラッチハンドル１６を圧縮ラッチバネ２０の圧縮力に抗してケーシング１の後方部へと引き寄せると、ピニオン歯車１７が回転してラック２と、シャフト４と、チューブ端部拡径用アタッチメント２５を圧縮バネ８の圧縮力に抗して前方に進め、アタッチメント２５の拡径部２５ｄ及び大径部２５ｃをチューブ端部の開口に押し込む。それによって、チューブ端部を拡径する。図７参照。チューブ端部拡径用アタッチメント２５を圧縮バネ８の圧縮力に抗して前方に進める際には、一回の前進動作で行っても良いし、多段階に複数の前進動作を行っても良い。
【００２３】
チューブ端部を拡径した後、解除レバー１０を圧縮バネ１３の圧縮力に抗して押し下げると、ラック２のストッパー歯とストッパー歯噛合突起１１との噛合が解除され、ラック付勢手段によってラックを後方位置に移動させるとともに、ラッチハンドル１６を把持方向と反対の方向に回動させる。図８参照。その結果、チューブ端部拡径用アタッチメント２５はチューブTの端部からはずれ、端部を拡径／リング挿入したチューブが得られる。図８の右下の図参照。
【００２４】
直径の大きなチューブになると、チューブ端部を拡径した後、解除レバー１０を圧縮バネ１３の圧縮力に抗して押し下げラック２のストッパー歯とストッパー歯噛合突起１１との噛合を解除しても、アタッチメント２５がチューブTの端部からはずれないことがある。その場合には、解除レバー１０を圧縮バネ１３の圧縮力に抗して押し下げるとともに、ピニオン歯車１７の軸に直結した戻しダイヤル２６を後進方向に回してピニオン歯車１７を介してラック２とシャフト４を後退させ、アタッチメント２５をチューブTの端部から外す。なお、チューブ端部拡径／リング挿入用アタッチメントを数種類用意して、対象とするチューブの直径によって変更することもできる。
【００２５】
次に、図９（ａ）において、チューブ端部リング挿入用アタッチメント２７を取り付けたチューブ端部拡径／リング挿入装置を図示する。図９（ａ）の上方に示すチューブ端部リング挿入用アタッチメント２７は、アタッチメント固定螺子部２７ａと、基部２７ｂと、大径部２７ｃと、チューブ内径にほぼ等しい直径の小径部２７ｄとからなり、アタッチメント固定螺子部２７aがシャフト４の螺子付き凹部２４に螺合されるようになっている。
【００２６】
図９（ｂ）は、チューブ端部リング挿入用アタッチメント２７を取り付けたチューブ端部拡径／リング挿入装置とチューブ端部に挿入するリング２８とを併せて図示する。リング２８の内径はチューブ端部リング挿入用アタッチメント２７の小径部２７ｄに押し込める程度とされ、外径はチューブ端部の内径より若干大きくされている。図９（ｃ）は、リング２８をチューブ端部リング挿入用アタッチメント２７の小径部２７ｄに押し込んだ状態を示す。
【００２７】
図１０は、チューブ端部リング挿入用アタッチメント２７を取り付けた本考案のチューブ端部拡径／リング挿入装置を用いて、チューブ端部にリング２８を装着する場合について説明をする。
図１０（ａ）は、チューブＴの端部近傍をチューブ端部固定保持手段２３に保持し、チューブＴの端部にチューブ端部リング挿入用アタッチメント２７の小径部２７ｄの先端部を挿着した状態を示す。図１０（ｂ）は手でケーシング１の後方部とハンドルを握ってケーシング１の後方部へと引き寄せると、シャフト４が前進して、チューブ端部リング挿入用アタッチメント２７を前に進めてアタッチメント２７の小径部２７ｄに挿着したリング２８をチューブ端部内部に押し込んだ状態を示す。図１０（ｃ）は、押し込んだリング２８をチューブ端部内部に残した状態で、ラック解除手段によって、ラックとラック後方移動防止手段との係合及びピニオン歯車とラッチとの係合を解除して、あるいは
必要に応じてさらにピニオン歯車に直結された戻しダイヤル２６を回すことによって、チューブＴの端部からチューブ端部リング挿入用アタッチメント２７を引き抜く工程を図示する。
【００２８】
図１１（ａ）は、継手本体３０をチューブＴの拡径部に押し込んで、その外側にナット部３１を螺合してチューブＴを継手本体３０に連結した状態を示す。一番下の図はその外観図である。図１１（ｂ）は継手本体３２にリングを押し込んだチューブＴの端部を押し込んで、その外側にナット部３３を螺合してチューブＴを継手に連結した状態を示す。一番下の図はその外観図である。
【産業上の利用可能性】
【００２９】
本考案に係るチューブ端部拡径／リング挿入装置は、半導体洗浄装置内で薬液を移送するために入出口間をポリテトラフルオロエチレン等のフッ素樹脂等からなる耐薬品性チューブ継手にチューブを接続する際に用いる。配管出口と配管入口の端部にチューブ継手を介して接続する上記フッ素樹脂等の耐薬品性チューブの端部を容易に拡径したり、あるいはリング挿入することができるので、産業上利用性が大きい。
【符号の説明】
【００３０】
１・・・ケーシング、２・・・ラック、３・・・ラックピン、４・・・シャフト、６・・・ストッパー、７・・・ストッパーシャフト、８・・・圧縮バネ、９・・・ラック止め歯部、１０・・・解除レバー、１１・・・ストッパー歯噛合突起、１２・・・解除レバーピン、１３・・・圧縮バネ、１４・・・ラック前進歯部、１５・・・ピニオンギアピン、１６・・・ラッチハンドル、１７・・・ピニオン歯車、１８・・・ラッチピン、１９・・・ラッチ、２０・・・圧縮ラッチバネ、２１・・・圧縮バネ、２２・・・ビーム、２３・・・チューブ端部固定保持手段、２３ａ・・・上保持部材、２３ｂ・・・下保持部材、２３ｃ・・・ホック部、２３ｄ・・・装着部、２４・・・螺子付き凹部、２５・・・チューブ端部拡径用アタッチメント、２５ａ・・・螺子部、２５ｂ・・・基部、２５ｃ・・・大径部、２５ｄ・・・拡径部、２５ｅ・・・小径部、２６・・・戻しダイヤル、２７・・・チューブ端部リング挿入用アタッチメント、２７ａ・・・螺子部、２７ｂ・・・基部、２７ｃ・・・大径部、２７ｄ・・・小径部、２８・・・リング、３０・・・継手本体、３１・・・ナット部、３２・・・継手本体、３３・・・ナット部、Ａ・・・ラック収容空間、Ｂ・・・シャフト収容空間、Ｃ・・・摺動溝、Ｄ・・・ストッパー空間、E・・・解除レバー用空間、Ｔ・・・チューブ
【図１】
0003172639.tif 000003
【図２】
0003172639.tif 000004
【図３】
0003172639.tif 000005
【図４】
0003172639.tif 000006
【図５】
0003172639.tif 000007
【図６】
0003172639.tif 000008
【図７】
0003172639.tif 000009
【図８】
0003172639.tif 000010
【図９】
0003172639.tif 000011
【図１０】
0003172639.tif 000012
【図１１】
0003172639.tif 000013
【図１２】
0003172639.tif 000014